(57)【特許請求の範囲】
【請求項１】
医用画像を保管する画像保管装置を有し、または当該画像保管装置と接続され、表示手段にレポート作成画面を表示して読影レポートを作成するためのレポート作成システムであって、
少なくとも１つのフレーズに前記医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
前記読影レポートの保存前に、予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けする必要性を示唆するメッセージを前記表示手段に表示させる報知制御手段と、
を備えること、
を特徴とするレポート作成システム。
【請求項２】
リンク付けの入力操作を受けて、予め定められた閾値以上の前記類似度が算出された組の一方にリンク付けされている前記医用画像を他方のフレーズにリンク付けするリンク設定手段を更に備えること、
を特徴とする請求項１記載のレポート作成システム。
【請求項３】
前記解析手段は、前記読影レポートの保存操作を受けて、前記関連性を判断し、前記類似度を算出すること、
を特徴とする請求項１記載のレポート作成システム。
【請求項４】
医用画像を保管する画像保管装置を有し、または当該画像保管装置と接続され、表示手段にレポート作成画面を表示して読影レポートを作成するためのレポート作成システムであって、
少なくとも１つのフレーズに前記医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
前記読影レポートの保存前に、予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けするリンク付け設定手段と、
を備えること、
を特徴とするレポート作成システム。
【請求項５】
医用画像を保管する画像保管装置を有し、または当該画像保管装置と接続され、表示手段にレポート作成画面を表示して読影レポートを作成するためのレポート作成システムであって、
少なくとも１つのフレーズに前記医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
前記読影レポートの保存前に、予め定められた閾値以上の前記類似度が算出された前記入力されたセンテンスに含まれるフレーズに医用画像をリンク付けさせる必要性を示唆するメッセージを前記表示手段に表示させる報知制御手段と、
を備えること、
を特徴とするレポート作成システム。
【請求項６】
医用画像を保管する画像保管装置を有し、または当該画像保管装置と接続され、表示手段にレポート作成画面を表示して読影レポートを作成するためのレポート作成システムであって、
少なくとも１つのフレーズに前記医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
前記読影レポートの保存前に、予め定められた閾値以上の前記類似度が算出された前記入力されたセンテンスに含まれるフレーズに医用画像をリンク付けするリンク付け設定手段と、
を備えること、
を特徴とするレポート作成システム。
【請求項７】
表示手段にレポート作成画面を表示して読影レポートを作成するためのレポート作成装置であって、
少なくとも１つのフレーズに医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
前記読影レポートの保存前に、予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けする必要性を示唆するメッセージを前記表示手段に表示させる報知制御手段と、
を備えること、
を特徴とするレポート作成装置。
【請求項８】
表示手段にレポート作成画面を表示して読影レポートを作成するためのレポート作成装置であって、
少なくとも１つのフレーズに医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
前記読影レポートの保存前に、予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けするリンク付け設定手段と、
を備えること、
を特徴とするレポート作成装置。
【請求項９】
表示手段にレポート作成画面を表示して読影レポートを作成するためのレポート作成装置であって、
少なくとも１つのフレーズに医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
前記読影レポートの保存前に、予め定められた閾値以上の前記類似度が算出された前記入力されたセンテンスに含まれるフレーズに医用画像をリンク付けさせる必要性を示唆するメッセージを前記表示手段に表示させる報知制御手段と、
を備えること、
を特徴とするレポート作成装置。
【請求項１０】
表示手段にレポート作成画面を表示して読影レポートを作成するためのレポート作成装置であって、
少なくとも１つのフレーズに医用画像がリンク付けされたセンテンスを含む読影レポートを記憶する記憶手段と、
入力操作を受けて、前記レポート作成画面において少なくとも１つのフレーズを含むセンテンスを入力する入力手段と、
前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、
前記読影レポートの保存前に、予め定められた閾値以上の前記類似度が算出された前記入力されたセンテンスに含まれるフレーズに医用画像をリンク付けするリンク付け設定手段と、
を備えること、
を特徴とするレポート作成装置。
【発明の詳細な説明】
【技術分野】
【０００１】
本発明は、入力されたフレーズに医用画像をリンク付けするレポート作成システム及びレポート作成装置に関する。
【背景技術】
【０００２】
医療行為は、専門分野が細分化されているため、Ｘ線ＣＴ装置やＭＲＩ装置等の画像診断装置で撮影した医用画像の読影を専門医に依頼することが広く行われる。専門医たる読影医は、依頼された読影対象の医用画像をモニタに表示させて読影し、その読影結果を読影レポートにまとめる。
【０００３】
近年の電子化により読影レポートも電子化されており、読影レポートを電子データとして作成するレポート作成システムも提供されている。読影医は、レポート作成システムに備えられたキーボードを用いて文字データを入力し、読影レポートを作成する。
【０００４】
読影レポートには、読影結果を支持する読影対象と過去の医用画像をリンク付けすることが一般的である。レポート作成システムは、以下の５段階の作業が読影医によって入力されることにより、読影レポートに入力した特定のフレーズに読影対象と過去の医用画像を示すリンク設定情報を付す。
【０００５】
（１）キーボードを用いて、リンク付けを行うフレーズを含むテキストを読影レポートに入力する。（２）マウスを用いて、リンク付けを行う範囲を選択する。（３）マウスを用いて、リンク付けを行う医用画像上にカーソルを移動させる。（４）マウスを用いて、リンク付けを行う医用画像をドラッグする。（５）マウスを用いて、リンク付けを行う医用画像をドラッグしたまま選択範囲上に移動し、ドロップする。
【０００６】
このように、レポート作成システムを用いたリンク付けの操作は手間がかかり、読影医は、このリンク付け作業を忘失しがちであった。読影結果を支持する医用画像がリンク付けされていない読影レポートは、その質が著しく失われたものとなる。
【０００７】
【特許文献１】特開２００５−３０１４５３号公報
【発明の開示】
【発明が解決しようとする課題】
【０００８】
本発明は、上記事情に鑑みてなされたものであり、その目的とするところは、読影レポートへの医用画像のリンク付けを忘失してしまうことを防止するレポート作成システム及びレポート作成装置を提供することにある。
【課題を解決するための手段】
【０００９】
上記課題を解決する請求項１記載の発明に係るレポート作成システムは、医用画像を保管する画像保管装置を有し、または当該画像保管装置と接続され、表示手段にレポート作成画面を表示して読影レポートを作成するためのレポート作成システムであって、少なくとも１つのフレーズに前記医用画像がリンク付けされたセンテンスを含む読影レポートを記憶する記憶手段と、入力操作を受けて、前記レポート作成画面において少なくとも１つのフレーズを含むセンテンスを入力する入力手段と、前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、前記読影レポートの保存前に、予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けする必要性を示唆するメッセージを前記表示手段に表示させる報知制御手段と、を備えること、を特徴とする。
【００１０】
リンク付けの入力操作を受けて、予め定められた閾値以上の前記類似度が算出された組の一方にリンク付けされている前記医用画像を他方のフレーズにリンク付けするリンク設定手段を更に備えるようにしてもよい（請求項２記載の発明に相当）。
【００１１】
前記解析手段は、前記作成画面に表示されている前記読影レポートの保存操作を受けて、前記関連性を判断し、前記類似度を算出するようにしてもよい（請求項３記載の発明に相当）。
【００１２】
また、上記課題を解決する請求項４記載の発明に係るレポート作成システムは、医用画像を保管する画像保管装置を有し、または当該画像保管装置と接続され、表示手段にレポート作成画面を表示して読影レポートを作成するためのレポート作成システムであって、少なくとも１つのフレーズに前記医用画像がリンク付けされたセンテンスを含む読影レポートを記憶する記憶手段と、入力操作を受けて、前記レポート作成画面において少なくとも１つのフレーズを含むセンテンスを入力する入力手段と、前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、前記読影レポートの保存前に、予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けするリンク付け設定手段と、を備えること、を特徴とする。
【００１３】
また、上記課題を解決する請求項５記載の発明に係るレポート作成システムは、医用画像を保管する画像保管装置を有し、または当該画像保管装置と接続され、表示手段にレポート作成画面を表示して読影レポートを作成するためのレポート作成システムであって、少なくとも１つのフレーズに前記医用画像がリンク付けされたセンテンスを含む読影レポートを記憶する記憶手段と、入力操作を受けて、前記レポート作成画面において少なくとも１つのフレーズを含むセンテンスを入力する入力手段と、前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、前記読影レポートの保存前に、予め定められた閾値以上の前記類似度が算出された前記入力されたセンテンスに含まれるフレーズに医用画像をリンク付けさせる必要性を示唆するメッセージを前記表示手段に表示させる報知制御手段と、を備えること、を特徴とする。
【００１４】
また、上記課題を解決する請求項６記載の発明に係るレポート作成システムは、医用画像を保管する画像保管装置を有し、または当該画像保管装置と接続され、表示手段にレポート作成画面を表示して読影レポートを作成するためのレポート作成システムであって、少なくとも１つのフレーズに前記医用画像がリンク付けされたセンテンスを含む読影レポートを記憶する記憶手段と、入力操作を受けて、前記レポート作成画面において少なくとも１つのフレーズを含むセンテンスを入力する入力手段と、前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、前記読影レポートの保存前に、予め定められた閾値以上の前記類似度が算出された前記入力されたセンテンスに含まれるフレーズに医用画像をリンク付けするリンク付け設定手段と、を備えること、を特徴とする。
また、上記課題を解決する請求項７記載の発明に係るレポート作成装置は、表示手段にレポート作成画面を表示して読影レポートを作成するためのレポート作成装置であって、少なくとも１つのフレーズに医用画像がリンク付けされたセンテンスを含む読影レポートを記憶する記憶手段と、入力操作を受けて、前記レポート作成画面において少なくとも１つのフレーズを含むセンテンスを入力する入力手段と、前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、前記読影レポートの保存前に、予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けする必要性を示唆するメッセージを前記表示手段に表示させる報知制御手段と、を備えること、を特徴とする。
また、上記課題を解決する請求項８記載の発明に係るレポート作成装置は、表示手段にレポート作成画面を表示して読影レポートを作成するためのレポート作成装置であって、少なくとも１つのフレーズに医用画像がリンク付けされたセンテンスを含む読影レポートを記憶する記憶手段と、入力操作を受けて、前記レポート作成画面において少なくとも１つのフレーズを含むセンテンスを入力する入力手段と、前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、前記読影レポートの保存前に、予め定められた閾値以上の前記類似度が算出された場合に、当該類似度の算出の対象となった前記記憶手段に記憶された読影レポートに含まれるリンク付けされたフレーズにリンク付けされている医用画像を、当該類似度の算出の対象となった前記入力されたセンテンスに含まれるフレーズへリンク付けするリンク付け設定手段と、を備えること、を特徴とする。
また、上記課題を解決する請求項９記載の発明に係るレポート作成装置は、表示手段にレポート作成画面を表示して読影レポートを作成するためのレポート作成装置であって、少なくとも１つのフレーズに医用画像がリンク付けされたセンテンスを含む読影レポートを記憶する記憶手段と、入力操作を受けて、前記レポート作成画面において少なくとも１つのフレーズを含むセンテンスを入力する入力手段と、前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、前記読影レポートの保存前に、予め定められた閾値以上の前記類似度が算出された前記入力されたセンテンスに含まれるフレーズに医用画像をリンク付けさせる必要性を示唆するメッセージを前記表示手段に表示させる報知制御手段と、を備えること、を特徴とする。
また、上記課題を解決する請求項１０記載の発明に係るレポート作成装置は、表示手段にレポート作成画面を表示して読影レポートを作成するためのレポート作成装置であって、少なくとも１つのフレーズに医用画像がリンク付けされたセンテンスを含む読影レポートを記憶する記憶手段と、入力操作を受けて、前記レポート作成画面において少なくとも１つのフレーズを含むセンテンスを入力する入力手段と、前記読影レポートの保存前に、前記入力されたセンテンスに含まれる各フレーズと前記記憶手段に記憶された読影レポートに含まれるリンク付けされたフレーズを含むセンテンスの各フレーズとの関連性を判断し、判断結果から双方のセンテンスの類似度を算出する解析手段と、前記読影レポートの保存前に、予め定められた閾値以上の前記類似度が算出された前記入力されたセンテンスに含まれるフレーズに医用画像をリンク付けするリンク付け設定手段と、を備えること、を特徴とする。
【発明の効果】
【００１５】
本発明によれば、読影レポートに読影結果の証拠となる医用画像のリンク付けを忘失することがなく、質の高い読影レポートを作成できる。
【発明を実施するための最良の形態】
【００１６】
本発明に係るレポート作成システム及びレポート作成装置の好適な実施形態について、図面を参照しながら具体的に説明する。
【００１７】
図１は、レポート作成システム１のネットワーク構成を示す図である。
【００１８】
レポート作成システム１は、読影医により入力された文字データを読影レポートに配列する。読影医が医用画像を読影して読影レポートを作成するために使用される。また、レポート作成システム１は、入力された文字データで構成されるフレーズに医用画像をリンク付けする。医用画像は、Ｘ線ＣＴ装置やＭＲＩ装置等の医用画像診断装置で被検体内が撮影されて得られた画像データである。読影レポートは、文字データが配列された文書データである。文字データには、文字のほか、記号や数字等のデータも含まれる。リンク付けとは、医用画像とフレーズ等の文字データ群とを結びつける処理である。
【００１９】
このレポート作成システム１は、レポート作成装置３とレポート保管装置２と画像保管装置４とをネットワークＮで接続して構成されている。
【００２０】
レポート作成装置３は、読影対象となる医用画像を表示し、読影医の入力操作に対応して読影結果をまとめた読影レポートを作成する。レポート保管装置２は、過去に作成された読影レポートを保管する。画像保管装置４は、医用画像を保管する。以下、作成中の読影レポートを区別する際は作成レポートといい、過去に作成された読影レポートを区別する際は過去レポートという。
【００２１】
このレポート作成システム１では、読影対象となる医用画像がレポート作成装置３で表示される。読影対象となる医用画像は、画像保管装置４からレポート作成装置３に送信される。読影医は、表示された医用画像を読影して読影結果を表すテキストをレポート作成装置３に入力する。レポート作成装置３は、入力された文字データを作成レポートに配列し、配列結果を表示する。作成レポートの保存操作が入力されると、レポート作成装置３は、作成レポートをレポート保管装置２に送信する。レポート保管装置２は、受信した作成レポートを保管する。
【００２２】
ここで、読影レポートには、過去の医用画像と読影対象の医用画像とが比較対照としてリンク付けされることが一般的である。同一の意味内容を有する過去レポートのリンク付きセンテンスには、この比較対照となりうる過去の医用画像がリンク付けされている可能性が高い。リンク付きセンテンスとは、医用画像がリンク付けされたフレーズを含むセンテンスをいう。
【００２３】
このレポート作成システム１では、作成レポートに配列されているセンテンスと、過去レポートに配列されているリンク付きセンテンスとの意味内容を解析し、双方の類似性を判断する。そして、所定以上の類似性が認められれば、このリンク付きセンテンスとの類似性を有するセンテンスにリンク付けがなされているかチェックする。リンク付けがされていなければ、リンク付けを促し、過去レポートに配列されているリンク付きセンテンスの少なくとも１フレーズにリンク付けされている医用画像を、作成レポートのセンテンスに含まれる少なくとも１フレーズへリンク付けする。
【００２４】
図２は、レポート作成装置３の外観を示す外観図である。
【００２５】
レポート作成装置３は、ＣＲＴディスプレイや液晶ディスプレイ等のモニタ３１及びモニタ３２と、キーボード３３やマウス３４等の入力デバイスと、ワークステーション装置３５とで構成されている。
【００２６】
ワークステーション装置３５をはじめとして、レポート保管装置２や画像保管装置４は、それぞれコンピュータで構成される。それぞれ内部に演算制御部（ＣＰＵ：Ｃｅｎｔｒａｌ  Ｐｒｏｃｅｓｓｉｎｇ  Ｕｎｉｔ）、主記憶部（ＲＡＭ：Ｒａｎｄｏｍ  Ａｃｃｅｓｓ  Ｍｅｍｏｒｙ）、外部記憶部（ＨＤＤ：Ｈａｒｄ  Ｄｉｓｋ  Ｄｒｉｖｅ）、通信コントローラを備え、共通線で接続して相互にデータ入出力可能としている。
【００２７】
演算制御部は、プログラムを解読及び実行して、データの演算及び装置の制御をする。主記憶部は、演算制御部のワークエリアであり、プログラムが展開され、演算結果や読み出されたデータの一時記憶をする。外部記憶部は、ＯＳ（オペレーティングシステム）及び読影レポート作成のための各自のプログラムが記憶されている。通信コントローラは、ネットワークＮと直接接続し、例えばＷＷＷ（ワールド・ワイド・ウェブ）やＴＣＰ／ＩＰプロトコル等のデータ通信制御によりネットワークＮを介して行なうデータ通信を制御する。ネットワークＮは、電子データの伝送が可能な電子通信回線であり、例えば電話回線網、ＩＳＤＮ、ＦＤＤＩ、専用線、移動体通信網、通信衛星回線、ＣＡＴＶ、ＬＡＮ等、又はこれらの複合が採用される。
【００２８】
モニタ３１は、レポート作成画面に作成レポートを表示する。文字データが入力されると、入力された文字データが配列された結果がレポート作成画面に表示される。読影対象となる医用画像は、モニタ３２に表示される。
【００２９】
文字データの入力操作は、キーボード３３を用いて入力される。キーボード３３には、各種文字データが対応づけされたキーが配列されている。読影医が各キーを押下することで、押下されたキーに対応した文字データが入力される。レポート作成画面には、作成レポートの保存処理を実行させるための保存ボタンが表示されている。マウス３４でカーソルを保存ボタンに合わせて押下することで、作成レポートの保存処理が実行される。
【００３０】
ワークステーション装置３５は、モニタ３１とモニタ３２を制御し、医用画像やレポート作成画面を表示させる。また、ワークステーション装置３５は、キーボード３３やマウス３４を用いた操作に対応して、文字データの入力処理、作成レポートの保存処理、及び医用画像のリンク付け処理を実行する。
【００３１】
図３は、ワークステーション装置３５の構成を示す構成図である。
【００３２】
ワークステーション装置３５は、テキスト作成部３５１と、リンク設定部３５２と、過去レポート検索部３５３と、過去レポート保存部３５４と、構造化処理部３５５と、解析部３５６と、報知制御部３５７とを備える。これら構成は、専用の回路で構成されていても、コンピュータによるプログラムの実行により実現されていてもよい。
【００３３】
テキスト作成部３５１は、キーボード３３を操作することで入力された文字データを作成レポートに配列する。リンク設定部３５２は、作成レポートに含まれているフレーズに医用画像のリンクを設定する。
【００３４】
図４は、このテキスト作成部３５１及びリンク設定部３５２により作成される読影レポートのデータ構成を示す模式図である。
【００３５】
読影レポートには、レポート情報５１とテキストが記録されている。テキストは、ＨＴＭＬ方式やＸＭＬ方式等の規則に応じて配列されている。レポート情報５１は、レポートを特定する情報であり、患者ＩＤ、検査種別情報、検査部位情報が含まれている。検査種別情報は、Ｘ線ＣＴやＭＲＩ等の読影対象となる医用画像の撮影方法の種類を示す。検査部位情報は、頭部や腹部等の検査された被検体の部位を示す。テキストは、テキストの種別を定義する種別タグ５２で囲まれている。読影レポートには、診断名を意味する種別タグ５２や所見を意味する種別タグ５２が付されている。テキスト作成部３５１は、この種別タグ５２で囲まれた領域に文字データを配列していく。
【００３６】
また、読影レポートには、リンク設定情報５３が記録される。このリンク設定情報５３は、リンク付けがされていることを示し、リンクタグで表される。このリンクタグには、リンク付けがされている医用画像の保管先アドレス５４が記録される。また、リンク設定情報５３は、リンクタグでフレーズを囲むことにより記録される。このリンクタグで囲まれたフレーズがリンク付けされた範囲である。
【００３７】
リンク設定部３５２は、作成レポートのセンテンスにリンクを設定する。リンクを設定するセンテンスは、作成レポート中のセンテンスのうち、過去レポートのリンク付きセンテンスに類似するセンテンスである。詳細には、このセンテンスの少なくとも１以上のフレーズをリンクタグで囲み、リンク付きセンテンスに含まれるフレーズにリンク付けされていた医用画像の保管先アドレス５４をリンクタグに記録する。
【００３８】
過去レポート検索部３５３は、レポート保管装置２から過去レポートを検索する。検索対象は、作成レポートと同一のレポート情報５１が含まれている過去レポートである。過去レポート検索部３５３は、作成レポートからレポート情報５１を読み出し、検索及び送信要求にこのレポート情報５１を付帯させてレポート保管装置２に送信する。
【００３９】
過去レポート保存部３５４は、レポート保管装置２から受信した過去レポートを一時的に保存する。
【００４０】
構造化処理部３５５は、作成レポートに含まれている各センテンスと過去レポートの各リンク付きセンテンスを構造化する。作成レポートの各センテンスと過去レポートの各リンク付きセンテンスの類似性を解析する前処理である。構造化は、センテンスの意味内容を構造によって明示する処理である。具体的には、構造化処理部３５５は、意味内容の一要素を構成するフレーズ単位でセンテンスを切り分けて、各フレーズの要素種別を識別可能に再度構成し直す。
【００４１】
図５は、センテンスの構造化の一具体例を示す図である。
【００４２】
例えば、読影レポートの所見欄を示す種別タグ５２で囲まれたテキスト中に「左側頭葉に限局性の血流低下を認めます。」とのセンテンスが含まれているものとする。このセンテンスを構造化する場合、構造化処理部３５５は、前のセンテンスの読点とこのセンテンスの読点を探し、読点で囲まれた当該センテンスを抽出する。リンク付きセンテンスの抽出では、過去レポートからリンクタグを探索する。そして、リンク設定情報５３が見つかると、リンクタグで囲まれたフレーズを含み、かつ読点で囲まれた文字データ群をリンク付きセンテンスとして抽出する。
【００４３】
作成レポートのセンテンスまたは過去レポートのリンク付きセンテンスを抽出すると、構造化処理部３５５は、抽出したセンテンスを「左側頭葉」と「限局性」と「血流低下」と「認めます」の各フレーズに分解する。
【００４４】
そして、抽出したセンテンス自体に種別タグ５２で示されるテキストの種類を表した「所見」というフレーズを付す。そして、この「所見」にセンテンスの種類を識別する記述種類識別情報６１を付す。更に、構造化処理部３５５は、「左側頭葉」のフレーズに対して、部位単語を示す部位要素識別情報６２を付す。「限局性」のフレーズに対しては、修飾単語を識別する修飾要素識別情報６５を付す。「血流低下」のフレーズに対しては、所見単語を識別する所見要素識別情報６３を付す。「認めます」のフレーズに対しては、このフレーズを「断定」というフレーズに変換し、この「断定」というフレーズに確定度を識別する確定度要素識別情報６４を付す。
【００４５】
各フレーズに各要素識別情報を付すと、それらフレーズとそのフレーズの要素識別情報との対を一纏めにして、リンク付きセンテンス又はセンテンスを特定するセンテンスナンバーを付しておく。センテンスナンバーは、センテンス又はリンク付きセンテンスが現れた読影レポート中の順位である。
【００４６】
なお、例えば、「左側頭葉及び左後頭葉に血流低下を認めます。」のように、１センテンスに複数の部位要素を含む場合には、それぞれの部位要素を主語とした複数のセンテンスとして扱って、それぞれを構造化する。
【００４７】
フレーズ単位への分解と要素識別情報の付加は、フレーズ辞書データを参照して行う。図６は、フレーズ辞書データ３５５ａを示すデータ構成図である。
【００４８】
構造化処理部３５５は、フレーズ辞書データ３５５ａを予め記憶している。フレーズ辞書データ３５５ａには、部位要素に属するフレーズと、所見要素に属するフレーズと、確定度要素に属するフレーズと、修飾要素に属するフレーズが多数記録されている。確定度要素に属する各フレーズには、そのフレーズが意味する読影医の判断の確信度合いに応じて「断定」や「弱断定」等の変換用フレーズ６６が関連づけられている。
【００４９】
構造化処理部３５５は、フレーズ辞書データ３５５ａに記録されている各フレーズを順次読み出し、読み出したフレーズをセンテンスやリンク付きセンテンスの先頭から１文字ずつシフトさせながら当てはめていき、当てはめたフレーズと当てはめた箇所とを照合していく。当てはめた箇所と当てはめたフレーズのデータが一致すれば、一致した箇所のデータを取り出すことでセンテンスを一度分解する。そして、取り出したデータをフレーズとして扱い、フレーズ辞書データ３５５ａから読み出したフレーズが属する要素種別の要素識別情報を付す。
【００５０】
確定度要素に属するフレーズが取り出された場合には、取り出したフレーズを、フレーズ辞書データ３５５ａから読み出したフレーズに関連づけられている変換用フレーズ６６に変換した後、この読み出したフレーズが属する確定度要素識別情報６４を付す。
【００５１】
解析部３５６は、作成レポートの各センテンスと過去レポートのリンク付きセンテンスを解析して、両センテンスの類似度８１（図７参照）を算出する。この解析は、構造化処理部３５５で構造化されたセンテンス及びリンク付きセンテンスを用いる。そして、解析部３５６は、予め用意されている閾値以上の類似度８１が算出されたセンテンスとリンク付きセンテンスの組を特定する。
【００５２】
解析では、同一要素種別のフレーズ同士を比較してその概念の関連性を判断し、各フレーズに対する判断結果から両センテンスの類似度８１を算出する。各フレーズの関連性の判断では、関連度８３（図７参照）を算出する。センテンスの類似度８１の算出では、各フレーズの関連度８３に要素ごとの重み付けを行ってから総計する。関連性の高いフレーズ群で構成されているセンテンス同士は、似たような意味内容を表す傾向がみられるためである。
【００５３】
図７は、関連度８３及び類似度８１の算出の一具体例を示す図である。
【００５４】
例えば、図７に示すように、作成レポートの所見欄に記載されている「肺に限局性の陰影が認められます。」とのセンテンスは、構造化処理部３５５によって、記述種類識別情報６１が付帯した「所見」のフレーズと、部位要素識別情報６２が付帯した「肺」のフレーズと、所見要素識別情報６３が付帯した「陰影」のフレーズと、確定度要素識別情報６４が付帯した「断定」という語に変換されたフレーズと、修飾要素識別情報６５が付帯した「限局性」のフレーズとに再構成されている。
【００５５】
また、過去レポートの所見欄に記載されている「肺尖区には、スリガラス状の陰が認められます。」とのリンク付きセンテンスは、構造化処理部３５５によって、記述種類識別情報６１が付された「所見」のフレーズと、部位要素識別情報６２が付帯した「肺尖区」のフレーズと、所見要素識別情報６３が付帯した「スリガラス状の陰」のフレーズと、確定度要素識別情報６４が付帯した「断定」という語に変換されたフレーズとに再構成されている。
【００５６】
解析部３５６は、構造化されたセンテンスとリンク付きセンテンスのデータを読み出し、記述種類識別情報６１が付されたフレーズ同士、及び同一の要素識別情報が付されたフレーズ同士を比較する。片方にない要素は比較対照とはならない。具体的には、記述種類識別情報６１が付されたフレーズ同士と、部位要素識別情報６２が付されたフレーズ同士と、所見要素識別情報６３が付されたフレーズ同士と、確定度要素識別情報６４が付帯したフレーズ同士とを、それぞれ比較する。また、片方に修飾要素識別情報６５が付帯したフレーズがなければ、修飾要素についての比較は行わない。
【００５７】
この例によると、記述種類識別情報６１が付されたフレーズは、ともに「所見」であり、このフレーズのデータは完全一致するため、同一を示す関連度８３である１ポイントを記述種類識別情報６１又は「所見」のフレーズに関連づけて記憶する。部位要素識別情報６２が付されたフレーズは、「肺」と「肺尖区」であり、完全一致していないため、解析部３５６は、後述するオントロジー階層定義データ３５６ａを参照して関連度８３を算出する。オントロジー階層定義データ３５６ａは、解析部３５６に予め記憶されている。また、所見要素識別情報６３が付されたフレーズは、「陰影」と「スリガラス状の陰」であり、完全一致していないため、解析部３５６は、予め記憶しているオントロジー階層定義データを参照して関連度８３を算出する。確定度要素識別情報６４が付されたフレーズは、ともに「断定」であり、このフレーズのデータは完全一致するため、同一を示す関連度８３である１ポイントを確定度要素識別情報６４又は「断定」のフレーズに関連づけて記憶する。
【００５８】
図８は、オントロジー階層定義データ３５６ａを示す模式図である。オントロジー階層定義データ３５６ａは、各種フレーズをその概念の広さを基準に下位概念から上位概念まで枝構造で階層化したものである。
【００５９】
例えば、肺と肺野と肺尖区と中葉区とが階層状に結びつけられている。肺と肺野は、類義語であり、オントロジー階層定義データ３５６ａにおいて類義語を示す枝７１で直接結びつけられている。また、肺又は肺野と肺尖区は、隣接する階層で区別された上位概念と下位概念との関係にあり、オントロジー階層定義データ３５６ａにおいて上位下位を示す枝７２で直接結びつけられている。また、肺又は肺野と中葉区は、隣接する階層で区別された上位概念と下位概念との関係にあり、オントロジー階層定義データ３５６ａにおいて上位下位を示す枝７２で直接結びつけられている。
【００６０】
解析部３５６は、２つのフレーズの関連度８３を算出するために、２つのフレーズがいくつの上位下位を示す枝７２で隔てられているかカウントする。肺と肺野であれば、類義語を示す枝７１のみで結びつき、上位下位を示す枝７２は２つのフレーズとの間に存在しないため、カウント値は０である。肺と肺尖区であれば、１本の上位下位を示す枝７２で隔てられているため、カウント値は１である。肺尖区と中葉区であれば、肺を介して２本の上位下位を示す枝７２で隔てられているため、カウント値は２である。
【００６１】
解析部３５６は、２つのフレーズが完全一致しない場合、この２つのフレーズが持つ概念の離れ具合によって両フレーズの関連度８３を決定する。具体的には、解析部３５６は、関連度８３の初期値を１ポイントとして、カウント値の数だけ、半減させていく。カウント値が０であれば、類義語であるために関連度８３は、同一と同様の１ポイントである。カウント値が１であれば、関連度８３は０．５ポイントであり、カウント値が２であれば、関連度８３は０．２５ポイントである。
【００６２】
従って、部位要素識別情報６２が付されたフレーズが「肺」と「肺尖区」であれば、オントロジー階層定義データ３５６ａを参照すると、両フレーズの概念の離れ具合はカウント値１となり、解析部３５６は、部位要素識別情報６２又は「肺」と「肺尖区」に関連づけて０．５ポイントを記憶する。また、所見要素識別情報６３が付されたフレーズが「陰影」と「スリガラス状の陰」であれば、オントロジー階層定義データ３５６ａを参照すると、両フレーズの概念の離れ具合はカウント値１となり、解析部３５６は、所見要素識別情報６３又は「陰」と「スリガラス状の陰影」に関連づけて０．５ポイントを記憶する。比較対照とならなかった修飾要素については関連度８３は０ポイントである。
【００６３】
各フレーズの関連度８３が算出されると、各関連度８３に重み付けを行ってから総計することで、センテンスの類似度８１を算出する。解析部３５６は、各フレーズの要素種別ごとに重み付け値８２を予め記憶している。
【００６４】
例えば、部位要素と所見要素に対する重み付け値８２である「２」と、記述種類要素と確定度要素に対する重み付け値８２である「１」を記憶している。図７に示す例によると、記述種類識別情報６１と確定度要素識別情報６４に関連づけられた関連度８３である１ポイントはそのままとし、部位要素識別情報６２と所見要素識別情報６３に関連づけられている関連度８３である０．５ポイントには、重み付け値８２である「２」を乗じる。そして、重み付けた後に各関連度８３を総計することで、比較対照となった作成レポートのセンテンスと過去レポートのリンク付きセンテンスとの類似度８１は、４ポイントとなる。
【００６５】
解析部３５６は、予め例えば「３ポイント」のような閾値を記憶している。類似度８１を算出すると、解析部３５６は、この閾値と類似度８１とを比較することで、類似度８１が閾値以上であるセンテンスとリンク付きセンテンスを特定する。
【００６６】
報知制御部３５７は、類似度８１が閾値以上であるセンテンスが作成レポートに存在すると、そのセンテンスへのリンク付けの必要性を報知するメッセージ９１をモニタ３１に表示させる。
【００６７】
図９は、モニタ３１に表示されるメッセージ９１を示す模式図である。
【００６８】
報知制御部３５７は、例えば、「“左側頭葉”に対して、過去の医用画像と今回の医用画像のリンク付けを行ってください」というメッセージ９１が表示させる。更に、この文字列で表されたメッセージ９１の隣に過去の医用画像のサムネイル過去画像９２と自動リンク付けボタン９３を表示させる。
【００６９】
この報知制御部３５７は、表示させる文字列を予め記憶しており、類似度８１が閾値以上であるセンテンスの部位を表すフレーズをこの文字列に当てはめてメッセージ９１を作成する。また、この報知制御部３５７は、類似度８１が閾値以上であるリンク付きメッセージ９１に付帯したリンク設定情報５３から医用画像の保管先アドレス５４を読み出し、読み出した保管先アドレス５４に存在する医用画像を画像保管装置４から取得する。
【００７０】
このモニタ３１に表示されたメッセージ９１に対応して、術者がリンク付け操作を行うと、リンク設定部３５２がリンク付けの処理を行う。表示された過去の医用画像の選択範囲へのドラッグ操作や、自動リンク付けボタン９３の押下に対応する。自動リンク付けボタン９３が押下されると、リンク設定部３５２は、類似度８１が閾値以上であるリンク付きセンテンスに付帯するリンク設定情報５３から保管先アドレス５４を読み出し、このリンク付きセンテンスに類似するセンテンスの部位要素を示すフレーズに対して、読み出した保管先アドレス５４を記録したリンク設定情報５３を付す。
【００７１】
図１０は、このようなレポート作成システム１のリンク付け処理の動作を示すフローチャートである。
【００７２】
まず、テキスト作成部３５１は、モニタ３２に読影対象の医用画像を表示させ（Ｓ０１）、モニタ３１にレポート作成画面を表示させる（Ｓ０２）。キーボード３３に配列されたキーが押下されると（Ｓ０３，Ｙｅｓ）、テキスト作成部３５１は、押下されたキーに対応する文字データを作成レポートに配列し、モニタ３２にその配列結果を表示させる（Ｓ０４）。
【００７３】
マウス３４を操作してカーソルを保存ボタンに位置させてクリックすることにより、作成レポートの保存操作が行われると（Ｓ０５，Ｙｅｓ）、レポート作成システム１は、リンク付けのチェック及びリンク付け処理を開始する。
【００７４】
まず、保存操作が行われると、過去レポート検索部３５３は、作成レポートからレポート情報５１を読み出し（Ｓ０６）、レポート情報５１とともに過去レポートの検索及び送信の要求コマンドをレポート保管装置２に送信する（Ｓ０７）。
【００７５】
レポート保管装置２では、受信したレポート情報５１に含まれている患者ＩＤと検査種別情報と検査部位情報と同一の情報を含んでいる過去レポートを検索し、該当する過去レポートをレポート作成装置３へ送信する。該当する過去レポートが複数存在する場合には、過去レポートに記録されている検査日付を基準に最新の過去レポートを送信する。
【００７６】
レポート保管装置２から過去レポートを受信すると、過去レポート保存部３５４は、受信した過去レポートを保存する（Ｓ０８）。
【００７７】
構造化処理部３５５は、受信した過去レポートから全てのリンク付きセンテンスを抽出する（Ｓ０９）。また、構造化処理部３５５は、作成レポートに含まれる全てのセンテンスを抽出する（Ｓ１０）。
【００７８】
まず、構造化処理部３５５は、過去レポートに記録されたリンク設定情報５３を探索する。更に、このリンク設定情報５３によりリンク付けがなされたフレーズの直近に存在する前後の読点データを探索する。前後の読点データが見つかると、この読点データで囲まれた文字データ群をリンク付きセンテンスとして取り出す。
【００７９】
このリンク設定情報５３の探索からリンク付きセンテンスの取り出しまでを過去レポートの文章の先頭から終わりまで行い、リンク設定情報５３が見つかるごとにリンク付きセンテンスの取り出しを行う。取り出しの際には、取り出すリンク付きセンテンスを囲む種別タグ５２の種類を読み出す。取り出されたリンク付きセンテンスには、読み出した種別タグ５２の種類を表すフレーズと記述種類識別情報６１を付し、過去レポート中の出現順位であるセンテンスナンバーを関連づけしておく。
【００８０】
また、構造化処理部３５５は、作成レポートから、文章構成上で隣接している２点の読点データを文章先頭から順に探索する。２点の読点データが見つかると、この読点データで囲まれた文字データ群をセンテンスとして取り出す。
【００８１】
この読点データの探索を作成レポートの最初から終わりまで行い、２点の読点データが特定されるごとにセンテンスの取り出しを行う。取り出しの際には、取り出すセンテンスを囲む種別タグ５２の種類を読み出す。そして、取り出されたセンテンスには、読み出した種別タグ５２の種類を表すフレーズと記述種類識別情報６１を付し、作成レポート中の出現順位であるセンテンスナンバーを関連づけしておく。
【００８２】
全てのリンク付きセンテンス及びセンテンスが抽出されると（Ｓ０９，Ｓ１０）、構造化処理部３５５は、各リンク付きセンテンスと各センテンスのそれぞれを構造化していく（Ｓ１１）。
【００８３】
まず、構造化処理部３５５は、フレーズ辞書データ３５５ａに記録されている最初のフレーズを読み出し、読み出したフレーズをリンク付きセンテンス又はセンテンスの文頭に当てはめて照合を行う。当てはめた箇所とフレーズのデータが一致しなければ、マッチングする箇所を文末へ１文字ずつシフトしていき、読み出したフレーズとその箇所のデータの照合を行う。文頭までシフトし終わり、データの一致がなければ、次のフレーズをフレーズ辞書データ３５５ａから順次読み出して当てはめと照合を繰り返す。
【００８４】
読み出したフレーズと当てはめた箇所のデータが一致していれば、その箇所のデータを１フレーズとして取り出し、取り出したフレーズにフレーズ辞書データ３５５ａから読み出したフレーズが属する要素識別情報を付す。フレーズ辞書データ３５５ａから読み出したフレーズが確定要素に属する場合は、取り出したフレーズを、読み出したフレーズに関連づけられている変換用のフレーズに変換した上で、確定度要素識別情報６４を付す。
【００８５】
このフレーズの取り出し及びフレーズのセンテンス上の要素の種別を識別する処理は、照合箇所が文末に到達した場合、又はフレーズ辞書データ３５５ａ中の全てのフレーズを照合に用いた場合に終了する。このフレーズの取り出し及び要素種別の識別処理を、抽出された全てのリンク付きセンテンス及びセンテンスについて行う。
【００８６】
抽出された全てのリンク付きセンテンス及びセンテンスが構造化されると（Ｓ１１）、解析部３５６は、各組み合わせのリンク付きセンテンスとセンテンスに含まれる同一要素のフレーズ同士の関連度８３を算出する（Ｓ１２）。
【００８７】
まず、解析部３５６は、一の組み合わせであるリンク付きセンテンスとセンテンスを比較対照として、比較対照となっているリンク付きセンテンスとセンテンスの各センテンスナンバーを組み合わせた比較対照情報を生成しておく。
【００８８】
そして、記述種別識別情報が付与されているフレーズ同士、部位要素識別情報６２付与されているフレーズ同士、所見要素識別情報６３が付与されているフレーズ同士、及び確定度要素識別情報６４が付与されているフレーズ同士の比較を行い、完全一致していれば、比較した要素に対する関連度８３を同一を示す値とし、生成した比較対照情報と関連づける。
【００８９】
比較しているフレーズ同士が完全一致していなければ、解析部３５６は、オントロジー階層定義データ３５６ａに比較しているフレーズをそれぞれ当てはめる。そして、当てはめたフレーズが何本の上位下位を示す枝７２で隔てられているかカウントする。比較しているフレーズの概念の離れ具合をカウントすると、同一を示す関連度８３と同じ値である初期値をカウント値が示す回数だけ半減させ、最終的な値をこの比較対象となった両フレーズが属する要素の関連度８３とする。
【００９０】
解析部３５６は、この比較対照情報の生成及び関連度８３の算出を、全てのリンク付きセンテンスとセンテンスの組み合わせに対して行う。
【００９１】
関連度８３が算出されると、解析部３５６は、リンク付きセンテンスとセンテンスとの類似度８１を算出する（Ｓ１３）。
【００９２】
解析部３５６は、予め、記述種類、部位要素、所見要素、及び確定度要素のそれぞれに対する重み付け値８２を予め記憶している。解析部３５６は、１の比較対照情報に関連づけられている記述種類の関連度８３に記述種類の重み付け値８２を乗じ、部位要素の関連度８３に部位要素の重み付け値８２を乗じ、所見要素の関連度８３に所見要素の重み付け値８２を乗じ、確定度要素の関連度８３に確定度要素の重み付け値８２を乗じる。そして、得られた各値を総計して、比較対照情報が表すリンク付きセンテンスとセンテンスとの類似度８１とする。
【００９３】
リンク付きセンテンスとセンテンスの各組み合わせに対して類似度８１が算出されると、解析部３５６は、予め記憶している閾値とこの類似度８１とを比較する（Ｓ１４）。比較の結果、閾値以上であった類似度８１が存在すれば（Ｓ１４，Ｙｅｓ）、報知制御部３５７は、リンク付けの必要性を示唆するメッセージ９１とサムネイル過去画像９２と自動リンク付けボタン９３をモニタ３１に表示させる（Ｓ１５）。
【００９４】
解析部３５６は、閾値以上であった類似度８１が関連づけられた比較対照情報を報知制御部３５７に通知する。報知制御部３５７は、この通知された比較対照情報に含まれるセンテンスナンバーを読み出す。そして、このセンテンスナンバーが示す作成レポートのセンテンスから、部位要素識別情報６２が付されたフレーズを抽出し、予め記憶しているメッセージ９１のフォーマットに当てはめる。
【００９５】
また、報知制御部３５７は、センテンスナンバーが示す過去レポートのリンク付きセンテンスからリンク設定情報５３を読み出し、このリンク設定情報５３に含まれている保存先アドレスに記憶されている医用画像を画像保管装置４から受信する。報知制御部３５７は、受信した医用画像をサムネイル化し、メッセージ９１と自動リンク付けボタン９３とともにモニタ３１に表示させる。
【００９６】
自動リンク付けボタン９３が押下されると（Ｓ１６，Ｙｅｓ）、リンク設定部３５２は、リンク付きセンテンスのフレーズにリンク付けされていた医用画像をセンテンスのフレーズにリンク付けする（Ｓ１７）。
【００９７】
リンク設定部３５２は、閾値以上となった類似度８１が関連づけられた比較対照情報に含まれているリンク付きセンテンスのセンテンスナンバーを読み出す。リンク付きセンテンスのセンテンスナンバーを読み出すと、このセンテンスナンバーで表されるリンク付きセンテンスからリンク設定情報５３を抽出する。また、比較対照情報に含まれている作成レポートのセンテンスナンバーを読み出し、作成レポートからリンク付けの対象となるセンテンスを特定する。そして、リンク設定部３５２は、センテンスナンバーで表される作成レポートのセンテンスから部位要素識別情報６２が付されているフレーズを特定し、抽出したリンク設定情報５３を記録する。
【００９８】
さらに、リンク設定部３５２は、読影対象となっており、かつキー画像に設定されている医用画像の保存先アドレスを含んだリンク設定情報５３をセンテンスのフレーズにリンク付けする（Ｓ１８）。
【００９９】
なお、自動リンク付けボタン９３が押下せずに、モニタ３２に表示されているキー画像とメッセージ９１とともに表示されているサムネイル過去画像９２とがドラッグ操作されると、リンク設定部３５２は、このドラッグされた医用画像をリンク付けするようにしてもよい。
【０１００】
また、メッセージ９１は、単に医用画像のリンク付けを示唆する文字列であってもよい。この場合、自動リンク付けボタン９３は表示せず、一般的なドラッグアンドドロップによってリンク付け処理が行われるようにすればよい。
【０１０１】
また、読影対象としてモニタ３２に表示された医用画像や、その医用画像と同一シリーズの画像群のうちのキー画像のリンク付けのみを示唆するメッセージ９１を表示してもよい。この場合、リンク設定部３５２のＳ１７の処理、即ち、リンク付きセンテンスに含まれるフレーズにリンク付けされた医用画像のリンク付け処理を排除することができる。リンク設定部３５２は、Ｓ１６の処理の後、自動リンク付けボタン９３が押下されれば、Ｓ１８の処理、即ち読影対象となった医用画像のリンク付け処理を実行するようにすればよい。
【０１０２】
以上のように、本実施形態に係るレポート作成システム１では、作成レポートに入力されたセンテンスに含まれる各フレーズと過去レポートのリンク付きセンテンスの各フレーズの関連性を判断し、判断結果から双方のセンテンスの類似度８１を算出する。そして、所定以上の類似度８１が算出されると、算出対象となったセンテンスのフレーズに対する医用画像のリンク付けの必要性を示唆するメッセージ９１をモニタ３１に表示する。メッセージ９１としては、単に医用画像のリンク付けの必要性を示唆したり、所定以上の類似度８１が算出された組の一方にリンク付けされている医用画像の他方へのリンク付けの必要性を示唆したり、読影対象となった医用画像のリンク付けの必要性を示唆したりする。
【０１０３】
これにより、読影レポートに証拠となる医用画像がリンク付けされているかチェックすることができ、リンク付けがされていない場合にはその旨のメッセージ９１を表示するので、医用画像のリンク付けを忘失することがなく、質の高い読影レポートを作成できる。つまり、本実施形態によれば、読影レポートへの医用画像のリンク付けの必要性をチェックすることで、医用画像のリンク付けを忘失してしまうことを防止することが可能である。
【０１０４】
また、自動リンク付けボタン９３の押下等のリンク付けの操作を受けて、読影対象として表示されている医用画像や、所定以上の類似度８１が算出された組の一方にリンク付けされている医用画像を、他方のセンテンスのフレーズにリンク付けする。これにより、煩わしいリンク付けの作業を省くことができ、読影レポートの作成作業を効率化することができる。
【０１０５】
また、解析部３５６による関連度８３及び類似度８１の算出は、作成レポートの保存操作を受けてから行う。これにより、文字データの入力中に逐次リンク付けのチェックが入るといったことはなくなり、読影結果を反映する文書の作成作業に集中することができる。
【図面の簡単な説明】
【０１０６】
【図１】レポート作成システムのネットワーク構成を示す図である。
【図２】レポート作成装置の外観を示す外観図である。
【図３】ワークステーション装置の構成を示す構成図である。
【図４】読影レポートのデータ構成を示す模式図である。
【図５】センテンスの構造化の一具体例を示す図である。
【図６】フレーズ辞書データを示すデータ構成図である。
【図７】類似度の解析の一具体例を示す図である。
【図８】オントロジー階層定義データを示す模式図である。
【図９】モニタに表示されるメッセージを示す模式図である。
【図１０】レポート作成システムの動作を示すフローチャートである。
【符号の説明】
【０１０７】
１    レポート作成システム
２    レポート保管装置
３    レポート作成装置
３１  モニタ
３２  モニタ
３３  キーボード
３４  マウス
３５  ワークステーション装置
３５１  テキスト作成部
３５２  リンク設定部
３５３  過去レポート検索部
３５４  過去レポート保存部
３５５  構造化処理部
３５５ａ  フレーズ辞書データ
３５６  解析部
３５６ａ  オントロジー階層定義データ
３５７  報知制御部
４    画像保管装置
５１  レポート情報
５２  種別タグ
５３  リンク設定情報
５４  保管先アドレス
６１  記述種類識別情報
６２  部位要素識別情報
６３  所見要素識別情報
６４  確定度要素識別情報
６５  修飾要素識別情報
６６  変換用フレーズ
７１  類義語を示す枝
７２  上位下位を示す枝
８１  類似度
８２  重み付け値
８３  関連度
９１  メッセージ
９２  サムネイル過去画像
９３  自動リンク付けボタン
Ｎ  ネットワーク
【図１】
0005209340.tif 000002
【図２】
0005209340.tif 000003
【図３】
0005209340.tif 000004
【図４】
0005209340.tif 000005
【図５】
0005209340.tif 000006
【図６】
0005209340.tif 000007
【図７】
0005209340.tif 000008
【図８】
0005209340.tif 000009
【図９】
0005209340.tif 000010
【図１０】
0005209340.tif 000011